(57)【要約】【課題】  手や指とグラブ間のあそびを抑え、手や指の力をグラブに直接伝えることが可能で確実な捕球を実現することが可能な野球用グラブを提供する。【解決手段】  指袋を構成する内皮を備える野球用グラブである。内皮の手の平側の面のうち、少なくとも手の平の付け根が接する部分、親指と接する部分、及び小指と接する部分、さらに外皮の人差し指部分若しくは中指部分に滑り止め用部材が設けられている。内皮が、グラブの外部へ挿通される紐を引き締めることにより親指及び小指の締め付け状態を調整する指掛け部を有する場合、指掛け部の内面の少なくとも一部に滑り止め用部材を設けてもよい。滑り止め用部材は、天然皮革、合成皮革、人工皮革、ゴム、合成樹脂等からなり、その表面に滑り止め加工が施されていてもよい。【選択図】  図３
2006034737.tif 000002
【特許請求の範囲】
【請求項１】
指袋を構成する内皮を備える野球用グラブであって、前記内皮の手の平側の面のうち、少なくとも手の平の付け根が接する部分、親指と接する部分、及び小指と接する部分、さらに外皮の人差し指部分若しくは中指部分に滑り止め用部材が設けられていることを特徴とする野球用グラブ。
【請求項２】
前記滑り止め用部材が、全ての指に対応して前記内皮の手の平側の面に設けられていることを特徴とする請求項１記載の野球用グラブ。
【請求項３】
前記内皮は、グラブの外部へ挿通される紐を引き締めることにより親指及び小指の締め付け状態を調整する指掛け部を有し、当該指掛け部の内面の少なくとも一部に前記滑り止め用部材が設けられていることを特徴とする請求項１又は２記載の野球用グラブ。
【請求項４】
前記内皮において、前記手の平の付け根が接する部分と手の平の中央部分が接する部分の境界部分にクッション材が設けられていることを特徴とする請求項１から３のいずれか１項記載の野球用グラブ。
【請求項５】
手口位置に手の甲を支持する手口バンドが設けられ、当該手口バンドは、小指側の周縁部に対して長さ寸法調整可能に固定されることを特徴とする請求項１から４のいずれか１項記載の野球用グラブ。
【請求項６】
前記滑り止め用部材の材質は、天然皮革、合成皮革、人工皮革、ゴム、合成樹脂から選ばれる少なくとも１種であることを特徴とする請求項１から５のいずれか１項記載の野球用グラブ。
【請求項７】
前記滑り止め用部材の表面は、滑り止め加工が施されていることを特徴とする請求項１から６のいずれか１項記載の野球用グラブ。
【発明の詳細な説明】
【技術分野】
【０００１】
本発明は、野球やソフトボール等に用いられる野球用グラブに関するものである。
【背景技術】
【０００２】
従来、野球用グラブでは、確実な捕球の実現のために、ボールとグラブ本体の間のあそびを無くすこと、捕球部の表面に加工を施すこと、捕球部に特殊な材料を使用すること等、種々の対策が採られている。これら方法により、ボールはグラブからこぼれ難くなり、捕球ミスが低減される。
【０００３】
一方、確実な捕球という観点からは、前記ボールとグラブ間のあそびばかりでなく、グラブと手（指）の間のあそびも考慮する必要があり、その改善が望まれるが、このグラブと手の間のあそびに関しては、依然未解決のままである。したがって、手の力がグラブに直接伝わり難いという問題が生じ、結果として確実な捕球が難しいという問題を残している。
【０００４】
一般に、野球用グラブは、外皮と内皮とから構成され、内皮の親指と小指部分に指掛け具が設けられている（例えば、特許文献１等を参照）。通常、この指掛け具の革紐を引き締めたり緩めることで、親指や小指の締め付け状態をある程度調整し、前記グラブと手の間のあそびを調整するようにしているが、革紐による調整では限度がある。例えば、革紐を強く締め付け過ぎると、指に過度の負担がかかり、逆に緩過ぎるとあそびが大きくなり、いずれの場合も使用感、装着感を損なう結果となり、捕球動作に支障をきたすおそれがある。
【特許文献１】実公平５−２２２号公報
【発明の開示】
【発明が解決しようとする課題】
【０００５】
近代野球においては、スピード化が進んでおり、捕球しなければならないボールのスピードは速くなる一方であり、これに対応してグラブの大型化も進んでいる。ここで、グラブのサイズが大きくなればなるほど、捕球に際して手や指を大きく開かなければならず、前記の問題が一層顕著なものとなる。すなわち、前記のように手や指を大きく開くことを余儀なくされる結果、例えば捕球の瞬間には、手や指でグラブ本体を大きく広げたものを急激に閉じようとするため、あそびが拡大してしまい、確実な捕球の妨げとなっているのが現状である。
【０００６】
本発明は、このような従来の実情に鑑みて提案されたものである。すなわち、本発明は、手や指とグラブ間のあそびを抑え、手や指の力をグラブに直接伝えることが可能で、確実な捕球を実現することが可能な野球用グラブを提供することを目的とする。
【課題を解決するための手段】
【０００７】
前述の目的を達成するために、本発明の野球用グラブは、指袋を構成する内皮を備える野球用グラブであって、前記内皮の手の平側の面のうち、少なくとも手の平の付け根が接する部分、親指と接する部分、及び小指と接する部分に滑り止め用部材が設けられていることを特徴とする。
【０００８】
本発明の野球用グラブでは、内皮の手の平側の面のうち、手の平の付け根が接する部分や、親指と接する部分、さらには小指と接する部分、さらに外皮の人差し指部分若しくは中指部分に滑り止め用部材が設けられている。この滑り止め用部材は、いわゆる滑り止めとして機能し、例えばグラブ内に手を入れた時に、任意の位置（自分の手に合った位置）で手の平や親指、小指が固定される。その結果、手や指とグラブの間のあそびが抑えられた形となり、手や指の力がグラブに直接的に伝達され、確実な捕球が実現される。
【発明の効果】
【０００９】
本発明の野球用グラブによれば、手や指とグラブ間のあそびを抑えることができ、手や指の力をグラブに直接伝えることが可能で、確実な捕球を実現することが可能な野球用グラブを提供することが可能である。
【発明を実施するための最良の形態】
【００１０】
以下、本発明を適用した野球用グラブについて、図面を参照して詳細に説明する。
【００１１】
本発明の野球用グラブは、いわゆるグローブやミット等、野球やソフトボールにおいて捕球に用いられるグラブ全般に適用可能である。先ず、その基本構造について説明する。
【００１２】
野球用グラブ１は、外装用の外皮と内装用の内皮とから構成されており、図１に示すように、外観上は、外皮２の親指袋２ａ、人差し指袋２ｂ、中指袋２ｃ、薬指袋２ｄ、小指袋２ｅが革紐３で締結され、人の手の形を模した形態とされている。また、親指袋２ａと人差し指袋２ｂの間には、ウエブと称されるネット状部材４が縫合されており、この部分からボールがこぼれることがないようにされている。
【００１３】
また、前記野球用グラブ１を背面から見たときに、手を挿入するための手口５を有し、ここから手を挿入するようになっている。なお、この手口５には、挿入される手の抜け止め用の手口バンド６が形成されている。手口バンド６は、一端が前記親指袋２ａの基端部を延長する形で縫い付けられ、他端が小指袋２ｅの基端部に設けられた孔に革紐７を挿通することによって締結されている。
【００１４】
一方、内皮１０は、図２に示すように、手の平が接する表面シート１１と、各指を背後から包み込む背面シート１２とから構成され、これらが重ね合わされて周囲が縫合されている。表面シート１１は、手を形どった形状を有し、図３に示すように、手の平が接する手の平部１１ａから、親指片１１ｂ、人差し指片１１ｃ、中指片１１ｄ、薬指片１１ｅ、小指片１１ｆが延設されている。
【００１５】
背面シート１２は、各指の太さに対応して、これを収容するに足る十分な内径寸法となるように各指の背面を覆う形で表面シート１１に対して縫合される。この背面シート１２は、各指の指先部分まで覆う形で形成してもよいし、各指を中途位置まで覆う形で形成してもよい。本実施形態では、背面シート１２は各指を中途部まで覆う形で部分的に形成されている。
【００１６】
そして、本実施形態では、前記内皮１０のうち、手の平と接する面、すなわち表面シート１１の内面に、各指に対応して滑り止め部材１３が設けられている。図３は、表面シート１１の平面図であり、本実施形態の場合、前記滑り止め部材１３は図中斜線領域で示す部分に形成されている。
【００１７】
具体的には、前記滑り止め部材１３として、手の平の付け根の部分に対応して表面シート１１の手の平部１１ａのうちの基端部１１ｇに形成される第１の滑り止め部１３ａ、親指の少なくとも一部（ここでは指先）に対応して親指片１１ｂに形成される第２の滑り止め部１３ｂ、及び小指の少なくとも一部（指先）に対応して小指片１１ｆに形成される第３の滑り止め部１３ｃが形成されている。さらには、その他の指の指先に対応して、人差し指片１１ｃ、中指片１１ｄ、薬指片１１ｅにも第４の滑り止め部１３ｄ、第５の滑り止め部１３ｅ、第６の滑り止め部１３ｆが形成されている。又人差し指、中指部分の外皮にも滑り止め部１３ｊ、１３ｉが形成されている。
【００１８】
これらの中で、手の平の付け根部分に対応する第１の滑り止め部１３ａ、親指に対応する第２の滑り止め部１３ｂ、及び小指に対応する第３の滑り止め部１３ｃが重要であり、少なくともこれら滑り止め部１３ａ〜１３ｃを滑り止め部材１３として形成することで、手とグラブの間のあそびが抑えられる。勿論、それ以外の指に対応して滑り止め部１３ｄ〜１３ｆを形成すれば、さらに野球用グラブ１内での手の滑りや移動が抑えられ、前記あそびをより一層抑えることが可能である。
【００１９】
また、特に有効なのは、内皮１０に指掛け部を有する場合において、この指掛け部に前記滑り止め部材１３を形成することである。図４及び図５は、この指掛け部が設けられた内皮１０の一例を示すものである。この例では、親指用指掛け部１４と小指用指掛け部１５が設けられている。
【００２０】
各指掛け部１４，１５は、いずれも指に巻き付けられる支持部１４ａ，１５ａと、その端部を延長する形で形成される革紐部１４ｂ，１５ｂとから構成され、内皮１０の背面シート１２に設けられた挿通孔１２ａ、さらには外皮２に設けられた挿通孔を通して前記革紐部１４ｂ，１５ｂを外部に引き出し、これを引き締めることにより親指や小指が締め付けられ、内皮１０と手の間のあそびを調節する機能を有する。
【００２１】
ただし、前記革紐部１４ｂ，１５ｂの締め付けによる調整だけでは、必ずしもあそびを十分に抑えることができない。これは、あそびを少なくするために革紐部１４，１５ｂの締め付けを強くすると、親指や小指に負荷が加わり過ぎ、使用感や装着感が損なわれるからである。前記使用感や装着感を考慮して、革紐部１４，１５ｂの締め付けを緩めにすると、あそびを十分に小さくすることが難しい。
【００２２】
そこで、前記のように各指掛け部１４，１５の指に巻き付けられる支持部１４ａ，１５ａ内面に滑り止め部１３ｇ，１３ｈを形成すれば、指掛け部１４，１５による締め付け状態の調節と、これら滑り止め部１３ｇ，１３ｈによる滑り止め効果により、使用感、装着感を損なうことなく、内皮１０と手の間のあそびが確実に抑えられる。さらに殆んどのプレーヤーは人差し指を外に出して使用するためその部分にも滑り止め部１３ｉを設けたので人差し指が滑り止め部でより固定されることで中指、薬指、小指に力が入りやすくなり、その捕球が一層確実になる。
【００２３】
前記滑り止め部材１３の材質としては、例えば天然皮革や合成皮革、人工皮革、ゴム、合成樹脂等を挙げることができ、これらのシート等を所定の面積で貼り付けることで前記滑り止め部材１３として機能させることができる。この場合、滑り止め部材１３の表面に対して滑り止め加工を施しておくことも有効である。
【００２４】
前記滑り止め加工としては、例えば表面を粗面化することにより滑り止め効果を高める方法等を採用することができる。この場合、粗面化領域を所定のパターン（例えば網目状等）で形成することにより、より一層の滑り止め効果を得ることができる。
【００２５】
また、前記内皮１０の表面シート１１において、手の平部１１ａのうちの手の付け根に対応する基端部１１ｇと、手の平の中央部分が接する手の平中央部１１ｈとの境界部分に、柔らかいクッション材を内蔵することで、前記滑り止め部材１３による固定状態をさらに向上させることも可能である。
【００２６】
さらに、野球用グラブ１の構造として、手口位置に手の甲を支持する手口バンドが設けられ、当該手口バンドが小指側の周縁部に対して長さ寸法調整可能に固定される構造を採用し、前記滑り止め部材１３と併用することで、手口の甲側と手の平がほど良く固定され、力が野球用グラブ１に伝わり易くなるという効果を得ることができる。
【００２７】
図６は、寸法調整可能な手口バンドを有する野球用グラブの一例を示すものである。この野球用グラブの基本的な構造は、先の図１に示すものと同様である。すなわち、野球用グラブの本体２１に設けられた手口２２の親指側の周縁部２２ａに、手口バンド２３の一端２３ａが固定されている。また、手口バンド２３の他端２３ｂと手口２２の小指側の周縁部２２ｂが、これらに形成された綴じ孔２４に挿通される革紐２５により長さ寸法調整可能に固定される。
【図面の簡単な説明】
【００２８】
【図１】野球用グラブの外形形状を示す斜視図である。
【図２】内皮の構造を示す斜視図である。
【図３】表面シートの平面図である。
【図４】指掛け部を有する場合の表面シートの平面図である。
【図５】指掛け部を有する内皮を示す斜視図である。
【図６】寸法調整可能な手口バンドを有する野球用グラブの一例を示す斜視図である。
【符号の説明】
【００２９】
１  野球用グラブ、２  外皮、４  ネット状部材、１０  内皮、１１  表面シート、１２  背面シート、１３  滑り止め部材、１４  親指用指掛け部、１５  小指用指掛け部、２３  手口バンド
【図１】
2006034737.tif 000003
【図２】
2006034737.tif 000004
【図３】
2006034737.tif 000005
【図４】
2006034737.tif 000006
【図５】
2006034737.tif 000007
【図６】
2006034737.tif 000008